(57)【要約】【課題】組み立て、解体が容易な射撃場を提供する。【解決手段】プレキャストコンクリート製の壁部の一面と柱部と台部が一体となった壁付き柱部材と、プレキャストコンクリート製の壁部の一面と梁部と台部が一体となった屋根付き梁部材と、プレキャストコンクリート製の壁部と台部とが一体となった中壁とより構成する。壁付き柱部材の壁部側を内側に向けて並べて壁体を構成する。対向して構築した壁体の間に、中壁を並べて設置する。壁体と中壁の間に、屋根付き梁部材の壁部側を下側に向けて並べて天井を構成する。各部材の間は、ＰＣ鋼棒を緊張することによって締結する。【選択図】図１
2008025865.tif 000002
【特許請求の範囲】
【請求項１】
プレキャストコンクリート製の壁部の一面と柱部と台部が一体となった壁付き柱部材と、
プレキャストコンクリート製の壁部の一面と梁部と台部が一体となった屋根付き梁部材と、
プレキャストコンクリート製の壁部と台部とが一体となった中壁とより構成し、
壁付き柱部材の壁部側を内側に向けて並べて壁体を構成し、
対向して構築した壁体の間に、
中壁を並べて設置し、
壁体と中壁の間に、
屋根付き梁部材の壁部側を下側に向けて並べて天井を構成し、
屋根付き梁部材と壁付き柱部材との間は、ＰＣ鋼棒を緊張することによって締結し、
一方の屋根付き梁部材の端と、他方の屋根付き梁部材の端とは中壁の上に搭載し、
屋根付き梁部材と屋根付き梁部材との間はＰＣ鋼棒を緊張することによって締結した、
射撃場の構造。
【請求項２】
プレキャストコンクリート製の壁部の一面と柱部と台部が一体となった壁付き柱部材と、
プレキャストコンクリート製の壁部の一面と梁部と台部が一体となった屋根付き梁部材とより構成し、
壁付き柱部材の壁部側を内側に向けて並べて壁体を構築し、
対向して構築した壁体の間に、
屋根付き梁部材の壁部側を下側に向けて並べて天井を構成し、
壁付き柱部材と屋根付き梁部材との間は、ＰＣ鋼棒を緊張することによって締結した、
射撃場の構造。
【請求項３】
壁付き柱部材と屋根付き梁部材との連結は、
隣接する部材との間の隙間に配置したＰＣ鋼棒を緊張することによって行う、
請求項１、２記載の射撃場の構造。
【請求項４】
中壁の上において、
対向して位置させた屋根付き梁部材と屋根付き梁部材との連結は、
隣接する部材との間の隙間に配置したＰＣ鋼棒を緊張することによって行う、
請求項１記載の射撃場の構造。
【発明の詳細な説明】
【技術分野】
【０００１】
本発明は、射撃場の構造に関するものであるが、特に設置と解体が容易な射撃場の構造に関する。
【背景技術】
【０００２】
コンクリート製構造物である射撃場は、一般にはラーメン構造で構築している。
これは柱、梁、壁、屋根の各部材を相互に剛結合することによって構造物を構築する方法である。
一方、射撃場を設置した場合にその付近に将来、住宅が接近してくる可能性がある。
そのような将来の状況に対処できるために、射撃場の設置が容易であるだけでなく、解体もまた容易に行うことができる構造が望まれる。
【発明の開示】
【発明が解決しようとする課題】
【０００３】
前記したラーメン構造による従来の射撃場の構造にあっては、次のような問題点がある。
＜１＞  従来の射撃場は設置のための経済性を考慮したものであっても、解体時の経済性を考慮したものは存在しなかった。
＜２＞  さらに、構築する場合においてもラーメン構造の場合には、部材の接合部の組み立てが複雑でかつ手間を要する。そのために工期が長くなる傾向がある。
＜３＞  屋根、床部分を現場打ちコンクリートで構築しているために、解体に際しては大きな騒音が発生し、住宅地が接近する場所では解体が困難である。
＜４＞  ラーメン構造の部材は、解体した後に再度転用することが一般には困難である。
【課題を解決するための手段】
【０００４】
上記のような課題を解決するために、本発明の射撃場の構造は、プレキャストコンクリート製の壁部の一面と柱部と台部が一体となった壁付き柱部材と、プレキャストコンクリート製の壁部の一面と梁部と台部が一体となった屋根付き梁部材と、プレキャストコンクリート製の壁部と台部とが一体となった中壁とより構成し、壁付き柱部材の壁部側を内側に向けて並べて壁体を構成し、対向して構築した壁体の間に、中壁を並べて設置し、壁体と中壁の間に、屋根付き梁部材の壁部側を下側に向けて並べて天井を構成し、屋根付き梁部材と壁付き柱部材との間は、ＰＣ鋼棒を緊張することによって締結し、一方の屋根付き梁部材の端と、他方の屋根付き梁部材の端とは中壁の上に搭載し、屋根付き梁部材と屋根付き梁部材との間はＰＣ鋼棒を緊張することによって締結した、射撃場の構造を特徴としたものである。
また本発明の射撃場の構造は、プレキャストコンクリート製の壁部の一面と柱部と台部が一体となった壁付き柱部材と、プレキャストコンクリート製の壁部の一面と梁部と台部が一体となった屋根付き梁部材とより構成し、壁付き柱部材の壁部側を内側に向けて並べて壁体を構築し、対向して構築した壁体の間に、屋根付き梁部材の壁部側を下側に向けて並べて天井を構成し、壁付き柱部材と屋根付き梁部材との間は、ＰＣ鋼棒を緊張することによって締結した射撃場の構造を特徴としたものである。
【発明の効果】
【０００５】
本発明の射撃場の構造は以上説明したようになるから、次のような効果を得ることができる。
＜１＞  射撃場の構築が容易であるだけでなく、解体も容易であり、解体後の部材の多くが再度転用することができる。
＜２＞  各部材と部材との連結を、部材の間の隙間に配置したＰＣ鋼棒の緊張によって行うから、解体がさらに容易であり、部材そのものを損傷することがない。
【発明を実施するための最良の形態】
【０００６】
以下図面を参照にしながら本発明の好適な実施の形態を詳細に説明する。
【実施例】
【０００７】
＜１＞全体の構造。
本発明の射撃場の構造は、基本的にはプレキャストコンクリート製のＰＣ部材である壁付き柱部材１と屋根付き梁部材２とによって構成する。
【０００８】
＜２＞壁付き柱部材１。（図２）
壁付き柱部材１は、プレキャストコンクリート製のＰＣ部材である。
そしてこの壁付き柱部材１は、壁部１１の一面と柱部１２と台部１３が一体となった構造を呈する。
すなわち垂直に立てた場合に、最下部にコンクリートブロック状の台部１３が位置し、この台部１３の上に壁部１１と柱部１２を鉛直に搭載し、さらに壁部１１と柱部１２の頂部には受け梁１４を搭載した形状を呈する。
壁付き柱部材１の柱部１２を形成した側と反対の面は平滑な面を維持して、射撃の際の不規則な兆弾の発生を避ける。
【０００９】
＜３＞屋根付き梁部材２。（図３）
屋根付き梁部材２もプレキャストコンクリート製のＰＣ部材である。
そして、この屋根付き梁部材２は、板状の屋根板２１の一面に梁部２２を突設させて一体とした形状を呈する。
さらに屋根付き梁部材２の一端には、図３に示すようにコンクリートの長方形体である緊張台２３を突出させて形成する。
ただし、後述するように両側の壁体の中間に中壁を設置しない構造の場合には、緊張台２３は不要である。
屋根付き梁部材２の梁部２２を形成した側と反対の面は平滑な面を維持して、射撃の際の不規則な兆弾の発生を避ける。
【００１０】
＜４＞壁付き柱部材１の設置。（図４）
基礎３となるべきコンクリートブロックを現場で打設する。
その際に、基礎３には事前にＰＣ鋼棒５を鉛直に配置しておく。
このＰＣ鋼棒５の間隔は、正確に壁付き柱部材１の台部１３の長さの外側に位置するように配置しておく。
そして壁付き柱部材１をクレーンなどで吊り上げ、その壁部１１側を内側に向けて並べて外壁を構築する。
すると図４に示すように、壁付き柱部材１の台部１３の両端にＰＣ鋼棒５が位置することになる。
こうして隣接する壁付き柱部材１と壁付き柱部材１とは、その隙間にＰＣ鋼棒５を介在させる状態で隣接、設置される。
その後、ＰＣ鋼棒５にプレート、ナットを取り付け、ＰＣ鋼棒５をジャッキで緊張したら定着ナットを締め付けてＰＣ鋼棒５の緊張状態を維持した状態で固定する。
こうして基礎の上に設置した壁付き柱部材１を順次、隣接して並べて一連の外壁を構築する。
【００１１】
＜５＞中壁４の設置。
中壁４は、プレキャストコンクリート製の中壁部と台部とが一体となった躯体であり、壁部のいずれの面にも柱などを突設させていない。
したがって両面は平滑な平面を維持しており、射撃の弾丸が当たった際にも不規則な兆弾が発生しない。
この中壁４を、壁付き柱部材１を対向して構築した外壁体の中間の位置に設置する。
この中壁４の設置によって、中壁４と外壁で区切られた、平行した二つの部屋が構成できる。
【００１２】
＜６＞屋根付き梁部材２の設置。
壁体と中壁４の間に、屋根付き梁部材２の屋根板２１を下側に向けて並べて天井を構成する。
その際に、屋根付き梁部材２の緊張台２３側は中壁４の上に設置する。
すなわち、中壁４の上には両側の屋根付き梁部材２の端部である緊張台２３が対向する状態で搭載されることになる。
中壁４の上端面には、屋根付き梁部材２の幅に接する状態でＰＣ鋼棒５を鉛直に取り付けておくので、屋根付き梁部材２はＰＣ鋼棒５の間に正確に据え付けられる。
また中壁４の上端面にはクロロプレンゴムのような弾性材を敷設しておけば長期間にわたって止水が完全である。
【００１３】
＜７＞屋根付き梁部材２と壁付き柱部材１の結合。
屋根付き梁部材２と壁付き柱部材１との間は、図５に示すようにＰＣ鋼棒５を緊張することによって締結する。
すなわち、壁付き柱部材１の幅と屋根付き梁部材２の幅を等しく形成し、壁付き柱部材１の接合部と、屋根付き梁部材２の接合部とを一致させて設置する。
すると、壁付き柱部材１の受け梁１４の側面と、屋根付き梁部材２の屋根部の側面とが同一の鉛直平面を形成することになる。
この鉛直平面と隣接する鉛直平面の隙間にＰＣ鋼棒５を配置する。
そしてＰＣ鋼棒５の両端にプレートと定着ナットを取り付けて、ＰＣ鋼棒５をジャッキで緊張したら定着ナットを締め付けてＰＣ鋼棒５の緊張状態を維持した状態で固定する。
こうして屋根付き梁部材２と壁付き柱部材１とをＰＣ鋼棒５を介して取り付けることができる。
【００１４】
＜８＞屋根付き梁部材２と屋根付き梁部材２の結合。
屋根付き梁部材２と屋根付き梁部材２とは、中壁４の上において、その緊張台２３が当接する状態で位置している。
そこで緊張台２３の側面に沿ってＰＣ鋼棒５を配置し、ＰＣ鋼棒５の両端にプレートと定着ナットを取り付けて、ＰＣ鋼棒５をジャッキで緊張したら定着ナットを締め付けてＰＣ鋼棒５の緊張状態を維持した状態で固定する。
こうして一方の屋根付き梁部材２と、他方の屋根付き梁部材２とをＰＣ鋼棒５を介して連結することができる。
【００１５】
＜９＞目地の充填。
ひとつの壁付き柱部材１と隣接する壁付き柱部材１との間、およびひとつの屋根付き梁部材２と隣接する屋根付き梁部材２との間にはＰＣ鋼棒５を介在させるだけの間隔が開いている。
そこでそれらの間隔には、組み立て時に一定の厚みを持つシール材を介在させて組み立てる。
またＰＣ鋼棒５を配置した場所には無収縮モルタルなどを充填する。
【００１６】
＜１０＞解体。
射撃場の用途が終わるなどで、解体する場合には、まず屋根付き梁部材２と屋根付き梁部材２との間を緊張しているＰＣ鋼棒５の定着ボルトを解体する。
この場合には専用のジャッキを用いて、ＰＣ鋼棒５を把持し、組み立て時の緊張力を導入してＰＣ鋼棒５を引っ張り、その状態で定着ナットを緩めて解体し、クレーンで撤去する。
同様にして、屋根付き梁部材２と壁付き柱部材１とのＰＣ鋼棒５も、部材間のモルタルなどを除去しつつ解体する。
さらに壁付き柱部材１と基礎とのＰＣ鋼棒５も解体する。
以上のように各部材の取付は、部材と部材との間の隙間に配置してＰＣ鋼棒５によって行っており、部材に直接ＰＣ鋼棒５を取り付けていないから、損傷のないままのプレキャスト部材を回収することができ、次の場所への移転や他の用途への転用を行うことができる。
【００１７】
＜１１＞他の実施例。
なお、以上は外壁と外壁の中間に中壁４を配置した実施例について説明したが、中壁４を用いない構成を採用することもできる。
その場合には緊張台２３の存在しない屋根付き梁部材２の両端をおのおの壁付き柱部材１の上に搭載してＰＣ鋼棒５によって締結することになる。
【図面の簡単な説明】
【００１８】
【図１】本発明の射撃場の構造の実施例の説明図。
【図２】壁付き柱部材の実施例の説明図。
【図３】屋根付き梁部材の実施例の説明図。
【図４】壁付き柱部材と基礎の接合状態の説明図。
【図５】壁付き柱部材と屋根付き梁部材の接合状態の説明図。
【図６】屋根付き梁部材と屋根付き梁部材の接合状態の説明図。
【符号の説明】
【００１９】
１：壁付き柱部材
２：屋根付き梁部材
３：基礎
４：中壁
５：ＰＣ鋼棒
【図１】
2008025865.tif 000003
【図２】
2008025865.tif 000004
【図３】
2008025865.tif 000005
【図４】
2008025865.tif 000006
【図５】
2008025865.tif 000007
【図６】
2008025865.tif 000008